(57)【要約】テキストメッセージを伝送するための技術が本明細書で説明される。これらの技術は、電子商取引のための複数のユーザＩＤを収集することを含んでもよい。ユーザＩＤを用いて、サーバは、テキストメッセージを複数のクライアントに伝送し、特定のクライアントと関連付けられた特定のユーザＩＤを判定するためにテキストメッセージに応答して複数のクライアントのうちの特定のクライアントのアクティビティを取得する。得られたアクティビティに基づいて、サーバは、複数のユーザＩＤのうちの特定のユーザＩＤとは異なる１つ以上のユーザＩＤを含むグレイリストを生成及び／又は更新する。
2015511342.tif 000002
【特許請求の範囲】
【請求項１】
１つ以上のプロセッサによって実行されるときに、前記１つ以上のプロセッサに、
複数のユーザ識別子（ＩＤ）と関連付けられた複数のクライアントにメッセージを伝送することと、
特定のクライアントと関連付けられた特定のユーザＩＤを判定するために前記メッセージに応答して前記複数のクライアントのうちの特定のクライアントのアクティビティレコードを取得することと、
前記複数のユーザＩＤのうちの前記特定のユーザＩＤとは異なる１つ以上のユーザＩＤを含むグレイリストを生成することと、
を含む行為を行うように命令する、コンピュータで実行可能な命令を格納する１つ以上のコンピュータ可読媒体。
【請求項２】
前記メッセージが、ショートメッセージサービス（ＳＭＳ）を用いるテキストメッセージである、請求項１に記載の１つ以上のコンピュータ可読媒体。
【請求項３】
前記メッセージが、ワイヤレスアプリケーションプロトコル（ＷＡＰ）アドレスへのリンクを含むテキストメッセージである、請求項１に記載の１つ以上のコンピュータ可読媒体。
【請求項４】
前記リンクが、電子商取引のためのアイテムカテゴリと関連付けられる、請求項３に記載の１つ以上のコンピュータ可読媒体。
【請求項５】
前記メッセージが、パラメータが埋め込まれるリンクを含み、前記アクティビティレコードを取得することが、前記パラメータを用いて前記アクティビティレコードを取得することを含む、請求項１に記載の１つ以上のコンピュータ可読媒体。
【請求項６】
前記グレイリストが、前記メッセージに含まれるリンクと関連付けられたアイテムカテゴリに対応する、請求項１に記載の１つ以上のコンピュータ可読媒体。
【請求項７】
前記行為が、
アイテムカテゴリと関連付けられたリンクを含む分類されたテキストメッセージを、ユーザＩＤと関連付けられたクライアントに伝送することと、
前記分類されたテキストメッセージへの応答が受信される場合に、前記ユーザＩＤを前記アイテムカテゴリと関連付けることと、
をさらに含む、請求項１に記載の１つ以上のコンピュータ可読媒体。
【請求項８】
前記アクティビティレコードが、前記メッセージに応答して特定のユーザＩＤと関連付けられたユーザによって行われる複数のアクティビティを列挙するアクティビティストリームを含む、請求項１に記載の１つ以上のコンピュータ可読媒体。
【請求項９】
前記複数のアクティビティが、所定期間にウェブサイト上で行われる、請求項８に記載の１つ以上のコンピュータ可読媒体。
【請求項１０】
前記行為が、前記メッセージを所定期間に及び所定回数にわたって、のうちの少なくとも１つで再び伝送することをさらに含む、請求項１に記載の１つ以上のコンピュータ可読媒体。
【請求項１１】
前記行為が、
特定のアイテムカテゴリと関連付けられた特定のリンクを含む特定のテキストメッセージを生成することと、
前記複数のユーザＩＤのうちの特定のユーザＩＤを含む前記特定のアイテムカテゴリに対応するグレイリストを判定することと、
前記特定のアイテムカテゴリに対応する前記グレイリストに基づいて前記特定のテキストメッセージを伝送することと、
をさらに含む、請求項１に記載の１つ以上のコンピュータ可読媒体。
【請求項１２】
前記特定のテキストメッセージが、前記複数のユーザＩＤのうちの前記特定のユーザＩＤとは異なる１つのユーザＩＤに伝送される、請求項１１に記載の１つ以上のコンピュータ可読媒体。
【請求項１３】
コンピュータで実施される方法であって、
サーバによって、電子商取引のためのアイテムカテゴリと関連付けられたメッセージを生成することと、
前記サーバによって、ユーザＩＤを含むアイテムカテゴリに対応するグレイリストであり、前記アイテムカテゴリと関連付けられた１つ以上のテキストメッセージに応答して前記ユーザＩＤに代わって行われる複数のアクティビティに基づいて生成されるグレイリストを判定することと、
前記サーバによって、前記グレイリストを用いて複数のクライアントに前記メッセージを伝送することと、
を含む、方法。
【請求項１４】
前記複数のクライアントが、前記ユーザＩＤとは異なる複数のユーザＩＤと関連付けられる、請求項１３に記載のコンピュータで実施される方法。
【請求項１５】
前記メッセージが、ＷＡＰアドレスへのリンクを含むテキストメッセージである、請求項１３に記載のコンピュータで実施される方法。
【請求項１６】
前記グレイリストが、
複数のユーザＩＤと関連付けられた複数のクライアントにメッセージを伝送することと、
特定のクライアントと関連付けられた特定のユーザＩＤを判定するために前記メッセージに応答して複数のクライアントのうちの特定のクライアントのアクティビティを取得することと、
複数のユーザＩＤのうちの前記特定のユーザＩＤとは異なる１つ以上のユーザＩＤを含むグレイリストを生成することと、
によって生成される、請求項１３に記載のコンピュータで実施される方法。
【請求項１７】
コンピューティングデバイスであって、
１つ以上のプロセッサと、
前記１つ以上のプロセッサによって実行可能な複数のコンポーネントを維持するためのメモリと、
を備え、前記複数のコンポーネントが、
テキストメッセージを複数のユーザＩＤと関連付けられた複数のクライアントに伝送するように構成された伝送ユニットと、
前記テキストメッセージに応答して前記複数のクライアントのうちの特定のクライアントのアクティビティを取得するように構成された取得ユニットと、
前記特定のクライアントと関連付けられた特定のユーザＩＤを判定するように構成された評価ユニットと、
前記複数のユーザＩＤのうちの前記特定のユーザＩＤとは異なる１つ以上のユーザＩＤをグレイリストに追加するように構成された、生成ユニットと、
を備える、コンピューティングデバイス。
【請求項１８】
前記テキストメッセージがＷＡＰアドレスへのリンクを含み、前記リンクが電子商取引のためのアイテムカテゴリと関連付けられる、請求項１７に記載のコンピューティングデバイス。
【請求項１９】
前記テキストメッセージが、所定期間に及び所定回数にわたって再び伝送される、請求項１７に記載のコンピューティングデバイス。
【請求項２０】
前記アクティビティが、所定期間にウェブサイト上で前記特定のユーザＩＤに代わって行われる、請求項１７に記載のコンピューティングデバイス。
【発明の詳細な説明】
【技術分野】
【０００１】
本開示は、モバイル通信の分野に関する。より具体的には、本開示は、メッセージ伝送に関する。
【背景技術】
【０００２】
関連特許出願への相互参照
本願は、参照によりその全体が本明細書に組み込まれる、「Ｍｅｔｈｏｄ  ａｎｄ  Ｓｙｓｔｅｍ  ｏｆ  Ｃｒｅａｔｉｎｇ  Ｇｒａｙｌｉｓｔ，  ａｎｄ  Ｍｅｔｈｏｄ  ａｎｄ  Ｓｙｓｔｅｍ  ｏｆ  Ｓｅｎｄｉｎｇ  Ｓｈｏｒｔ  Ｍｅｓｓａｇｅ」という名称の２０１２年１月１７日に出願された中国特許出願第２０１２１００１４８８５．１号の優先権を主張するものである。
【発明の概要】
【発明が解決しようとする課題】
【０００３】
情報（例えば、ニュース及び特別提供）を受信者に提供するために及び受信者を特定のアクティビティ（例えば、投票及び調査）に参加させるために自動システムと対話するのにテキストメッセージが用いられる。テキストメッセージを用いて、サービスプロバイダは、郵便、電子メール、又はボイスメールによって送られた販売促進、支払い期日、及び他の通知について移動電話ユーザに通知することができる。例えば、広告主は、ビジネス、製品、及び／又はサービスを促進するのにテキストメッセージを用いることがある。しかしながら、従来の技術の下で、広告主は、広告主のテキストメッセージが特定のユーザに対して効果的であるかどうか及びこれらのユーザに付加的なテキストメッセージを送信する必要があるかどうかを評価する問題を有する。
【課題を解決するための手段】
【０００４】
本明細書で説明されるのは、メッセージングのための技術である。当該技術は、電子商取引のためのアイテムカテゴリと関連付けられた複数のユーザＩＤを含むグレイリストを生成してもよい。グレイリストに基づいて、グレイリストに含まれないユーザＩＤと関連付けられたクライアントにテキストメッセージが伝送されてもよい。この概要は、特許請求される主題のすべての重要な特徴又は不可欠な特徴を特定することを意図されておらず、特許請求される主題の範囲を判定する一助として単独で用いられることも意図されていない。
【０００５】
発明を実施するための形態が、添付図を参照して説明される。異なる図面中の同じ参照符号の使用は、類似の又は同一のアイテムを示す。
【図面の簡単な説明】
【０００６】
【図１】グレイリストの生成及び／又はメッセージの伝送を行うためのサーバを含む例示的なアーキテクチャを示す図である。
【図２】グレイリストを生成するための例示的な流れ図である。
【図３】グレイリストを用いてメッセージを伝送するための例示的な流れ図である。
【図４】図１のアーキテクチャに配置され得る例示的なサーバを示す図である。
【発明を実施するための形態】
【０００７】
以下の議論は、本開示の具体的な例示的な実施形態を説明する。本明細書で説明される例示的な実施形態は、例示することだけを目的としており、本開示を限定することを意図されていない。
【０００８】
図１は、グレイリストの生成及び／又はメッセージの伝送を行うためのサーバを含む例示的なアーキテクチャ１００を示す。サーバは、メッセージ（例えば、テキストメッセージ）を生成し、メッセージをユーザ識別子（ＩＤ）と関連付けられたクライアント（例えば、ユーザデバイス）に伝送する。メッセージは、電子商取引のためのアイテムカテゴリ（例えば、食品、本、及び電子機器）と関連付けられてもよい。サーバは、アイテムカテゴリに対応するグレイリストを判定し、次いで、ユーザＩＤがグレイリストに含まれるかどうかを判定する。ユーザＩＤがグレイリストに含まれない場合、サーバは、メッセージをクライアントに伝送してもよい。グレイリストは、以前に伝送されたメッセージが複数のユーザＩＤと関連付けられたユーザによって所定期間にどのように応答されたかに基づいて判定されてもよく、メッセージはアイテムカテゴリと関連付けられる。
【０００９】
例証される実施形態では、メッセージ１０４（例えば、テキストメッセージ）を生成し、メッセージ１０４を１つ以上のネットワーク１０８を経由してクライアント１０６（例えば、ユーザデバイス）に伝送する１つ以上のサーバ１０２との関連で当該技術が説明される。メッセージ１０４に応答して、ユーザ１１０は、例えば、メッセージ１０４を開き、メッセージに含まれる場合のリンクをクリックするようにクライアント１０６を操作してもよい。これらのアクティビティ（すなわち、アクティビティ１１２）は、所定時間でメッセージに応答し損ねた及び／又は所定回数にわたってメッセージ１０４に応答し損ねたユーザを含むグレイリスト１１６を生成するために、サーバ１０２によって取得及び分析されてもよい。
【００１０】
ここで、サーバ１０２は、ネットワーク１０８を介してアクティビティ１１２を収集してもよい。ネットワーク１０８は、ケーブルネットワーク、インターネット、及びワイヤレスネットワークなどの複数の異なるタイプのネットワークのうちのいずれか１つ又はこれらの組み合わせを含んでもよい。クライアント１０６は、一方では、パーソナルコンピュータ、ラップトップコンピュータ、ポータブルデジタルアシスタント（ＰＤＡ）、移動電話、セットトップボックス、ゲームコンソール、パーソナルメディアプレーヤ（ＰＭＰ）などを含む任意の数のコンピューティングデバイスとして実装されてもよい。クライアント１０６は、アプリケーション及びデータを格納するために１つ以上のプロセッサ及びメモリを備える。サーバ１０２上で実行するブラウザ又は他のクライアントアプリケーションなどのアプリケーションは、ネットワーク１０８を経由したクライアント１０６へのメッセージ伝送を容易にすることができる。
【００１１】
アーキテクチャ１００において、サーバ１０２は、複数のクライアントと関連付けられたユーザＩＤ１１４を収集してもよい。ユーザＩＤ１１４に基づいて、サーバ１０２は、メッセージ１０４を生成し、これをクライアント１０６に伝送してもよい。メッセージは、ショートメッセージサービス（ＳＭＳ）を用いるテキストメッセージであってもよい。一部の実施形態では、メッセージ１０４は、テキストメッセージであり、ワイヤレスアプリケーションプロトコル（ＷＡＰ）アドレスに導くリンクを含む。これらの場合、サーバ１０２は、ユーザＩＤ１１４に基づいてパラメータを生成し、パラメータを、サーバ１０２がメッセージの受信者（例えば、ユーザ１１０）のアクティビティ１１２を取得し得るようにリンクに埋め込んでもよい。例えば、パラメータを用いて、サーバは、ユーザ１１０がメッセージを開き、リンクをクリックするかどうかを判定できることがある。
【００１２】
一部の実施形態では、リンクは、電子商取引のためのアイテムカテゴリと関連付けられてもよい。これらの場合、サーバ１０２は、ユーザＩＤと関連付けられたクライアントに分類されたテキストメッセージを伝送してもよく、分類されたテキストメッセージは、アイテムカテゴリに属するアイテムを列挙する電子商取引ウェブサイト（ｗｅｂｉｔｅ）に導くリンクを含む。サーバ１０２は、次いで、ユーザＩＤに代わってリンクがクリックされることを該サーバが判定する場合に、ユーザＩＤをアイテムカテゴリと関連付けてもよい。一部の実施形態では、ユーザＩＤは、種々のアイテムカテゴリと関連付けられてもよい。
【００１３】
例証される実施形態では、メッセージ１０４を生成した後で、サーバ１０２は、ユーザ１１０のＩＤと関連付けられるアイテムカテゴリに対応するグレイリスト１１６を生成及び／又は更新してもよい。グレイリスト１１６の生成は、図２でさらに詳述される。グレイリスト１１６に基づいて、サーバ１０２は、メッセージ１０４をユーザＩＤ１１４と関連付けられた複数のクライアントに伝送してもよい。
【００１４】
図２は、グレイリスト１１６を生成するための例示的な流れ図を示す。２０２で、サーバ１０２は、メッセージ１０４を生成してもよい。一部の実施形態では、サーバ１０２は、複数のユーザＩＤを収集し、複数のユーザＩＤに基づいてメッセージ１０４を生成してもよい。ある場合には、メッセージ１０４はＳＭＳを用いるテキストメッセージであってもよい。テキストメッセージは、電子商取引のためのアイテムと関連付けられたＷＡＰアドレスに導くリンクを含んでもよい。リンクは、サーバ１０２がユーザＩＤ１１４と関連付けられたユーザアクティビティレコードを取得することを可能にするパラメータを含んでもよい。リンクは、アイテムが属するアイテムカテゴリと関連付けられてもよい。
【００１５】
２０４で、サーバ１０２は、メッセージ１０４をユーザＩＤ１１４と関連付けられた複数のクライアント（例えば、クライアント１０６）に伝送してもよい。２０６で、サーバ１０２は、メッセージ１０４に応答して複数のクライアントのうちの特定のクライアントのユーザアクティビティレコードを取得してもよい。次いで、２０８で、サーバ１０２は、特定のクライアントと関連付けられた特定のユーザＩＤを判定してもよい。一部の実施形態では、アクティビティレコードは、メッセージ１０４に応答して特定のユーザＩＤと関連付けられたユーザによって行われる複数のアクティビティを列挙するアクティビティストリームを含んでもよい。これらの場合、アクティビティは、所定期間にウェブサイト上で特定のユーザＩＤに代わって行われてもよい。一部の実施形態では、サーバ１０２は、アクティビティレコードが得られない特定のクライアントにメッセージ１０４を再び伝送してもよい。これらの場合、サーバ１０２は、メッセージ１０４を所定期間に又は所定期間内に所定の頻度で再び伝送してもよい。
【００１６】
２１０で、サーバ１０２は、ユーザＩＤ１１４のうちの、メッセージ１０４に応答するアクティビティレコードに基づいてサーバ１０２によって以前に判定された特定のユーザＩＤとは異なる１つ以上のユーザＩＤを含むグレイリスト１１６を生成してもよい。
【００１７】
一部の実施形態では、サービスプロバイダは、クライアントを介してユーザに販売促進アイテムに関する情報又はデータ収集情報を送信してもよい。テキストメッセージの中に含まれる情報は限られているため、テキストメッセージを用いて情報のすべてをクライアントに直接送信することができるとは限らない。ある場合には、テキストメッセージの中にネットワークリンクを含めることができ、このリンク情報は、クライアントに送信される必要がある情報に対応する。
【００１８】
必要な情報がネットワークリンク情報を介してクライアントに送信された後で、ネットワークリンク情報は、ユーザＩＤ情報又は動作レコードを記録するのに用いられる関連したパラメータを含んでもよい。パラメータにより、サーバ１０２がテキストメッセージへのクライアントの記録された動作情報を計算することが可能となり得る。したがって、ユーザがテキストメッセージを受信した後で、ユーザの動作挙動を計算することができる。さらに、テキストメッセージが送信されているユーザのＩＤ情報をクライアントに予め記録しておくことができる。
【００１９】
一部の実施形態では、ユーザＩＤ情報又は動作レコードを記録するのに用いられる関連パラメータは、組み込みモニタ及び制御パラメータの形態とすることができる。クライアントに対応するユーザがテキストメッセージの中のネットワークリンクを開くときに、組み込みモニタ及び制御パラメータにより、サーバ１０２が（クライアントに対応する）ユーザの動作情報と、対応するクライアントのＩＤ情報を記録することが可能となり得る。
【００２０】
一部の実施形態では、クライアントのＩＤ情報はローカルに記録されてもよい。一部の実施形態では、ＩＤ情報は、サードパーティリンクに対応するサーバによって記録されてもよい。これらの場合、ほとんどのサードパーティサーバは十分安定しているため、クライアントのリソースを使用する必要はないことがある。一部の実施形態では、ＩＤ情報は、テキストメッセージを送信する及びクライアントを分類するサーバ（例えば、サーバ１０２）に記録されてもよい。これらの実施形態は、クライアントのリソースを使用しなくてもよく、又はその使用がより少なくてもよく、データを伝達／処理するのに安定しており且つ便利である。
【００２１】
一部の実施形態では、サーバ１０２は、ネットワークリンク情報を含むテキストメッセージをすべてのユーザグループに送信してもよいが、通常の状況では、ほとんどのクライアントは、特定のコンテンツにだけ関心がある場合がある。例えば、彼らは、特定のタイプの製品（例えば、電子機器、食品／料理、及び衣類／衣服）にだけ関心がある場合がある。加えて、一部のユーザは電子機器にだけ関心があり、一方、別の一部のユーザは食品／料理にだけ関心がある。したがって、すべてのユーザが１つのグループに入り、ユーザの全員にテキストメッセージが送信される場合、リソースが浪費される。したがって、サーバ１０２は、異なるユーザグループに関する異なるタイプのネットワークリンク情報を含むテキストメッセージを生成し、それらを異なるクライアントグループに送信してもよい。
【００２２】
さらに、サーバ１０２は、ユーザを人口統計に基づいて分類してもよく、次いで、ユーザを該ユーザの人口統計に対応するユーザグループに関連付けてもよい。例えば、学生は、衣服により関心がある場合があるため、衣類カテゴリの下のクライアントグループに入るが、シニアは、食品により関心がある場合があるため、食品カテゴリの下のクライアントグループに入る。一部の実施形態では、サーバ１０２は、ユーザを分類してもよく、及び／又は特定のユーザのユーザグループ情報を所定期間に又はトリガイベント時に更新してもよい。例えば、サーバ１０２は、最初にすべてのカテゴリのテキストメッセージをシステムのすべてのクライアントに送信してもよい。しかしながら、サーバ１０２が、ユーザＡ及びＢが電子機器にだけ関心があると判定する場合、サーバ１０２は彼らを電子機器のユーザグループに追加してもよい。
【００２３】
一部の実施形態では、サーバ１０２は、テキストメッセージに対応するクライアントのテキストメッセージ動作レコードを取得してもよく、各テキストメッセージ動作レコードは、対応するクライアントがテキストメッセージの中のネットワークリンクを開いたか否かに関する情報と、クライアントに対応するＩＤ情報とを含む。これらの場合、ユーザにテキストメッセージが送信されたときに、ネットワークリンク情報は、記録されたユーザＩＤ情報又は動作レコードパラメータを含む。したがって、テキストメッセージを受信するユーザがテキストメッセージの中のネットワークリンクを開くときに、ユーザＩＤ情報又は動作レコードの記録に基づく関連したパラメータにより、サーバ１０２がテキストメッセージへのユーザの動作レコードを取得することが可能となり得る。動作レコードは、クライアントのＩＤ情報、及びクライアントがウェブページで費やす時間の長さ、リフレッシュ頻度などの他の情報を含むことができ、一方、クライアントのＩＤ情報は、クライアントと関連付けられたユーザＩＤ又は携帯電話番号などとすることができる。
【００２４】
テキストメッセージ動作レコードに基づいて、サーバ１０２は、テキストメッセージの中のネットワークリンクを開かなかったユーザのＩＤ情報を判定してもよい。一部の実施形態では、ユーザのＩＤ情報は、テキストメッセージをユーザに送信するときに予め記録されている。したがって、ユーザがテキストメッセージの中のネットワークリンクを開く場合、テキストメッセージリンク情報に基づく関連したパラメータにより、ネットワークリンクを開いたユーザ及びユーザのＩＤ情報をサーバ１０２が記録することが可能となり得る。
【００２５】
一部の実施形態では、テキストメッセージの送信後の予め定義された時間内に、例えば、２、３日、又は任意の日数以内に、サーバ１０２は、ユーザによって取得されるテキストメッセージに対応するテキストメッセージ動作レコードを取得してもよい。このようにして、サーバ１０２は、予め定義された時間内に、テキストメッセージの中のネットワークリンクを開かなかったユーザのＩＤ情報を判定してもよい。ユーザと関連付けられたクライアントがＷＡＰネットワークをサポートしていないためにユーザがネットワークリンクを開かなかった場合、対応するユーザは、テキストメッセージの中のネットワークリンク情報などに関心をもたない。一般に、ユーザがテキストメッセージの中のネットワークリンク情報を所定時間内に開いた場合、予め定義された時間の後でネットワーク情報を開く可能性は低い。したがって、テキストメッセージの中のネットワークリンク情報を所定時間内に開かなかったユーザは、テキストメッセージの中のネットワークリンク情報を開かなかったユーザと考えられてもよい。
【００２６】
一部の実施形態では、テキストメッセージの中のネットワークリンク情報は、衣類カテゴリのネットワークリンク情報と食品カテゴリのネットワークリンク情報との両方を含む。しかしユーザがテキストメッセージを受信した後で、ユーザの動作レコードに基づいて、サーバ１０２は、一部のユーザが衣類ネットワークリンク情報だけを開くことを判定してもよい。
【００２７】
一部の実施形態では、グレイリスト１１６は、ユーザがネットワークリンク情報を一度も開かなければ、テキストメッセージの中のネットワークリンク情報を開かなかったユーザのリストの中に該ユーザを含めてもよい。さらに、グレイリスト１１６は、ユーザがネットワークリンク情報を数回開かなかったときにのみ、テキストメッセージの中のネットワークリンク情報を開かなかったユーザのリストの中に該ユーザを含めてもよい。これらの場合、個々のユーザにカウンタを割り当てることができる。ユーザがネットワークリンク情報を開かなかった場合、サーバ１０２はカウンタに１を追加し、一方、ユーザがネットワークリンク情報を開いた場合、サーバ１０２はカウンタを０にリセットする。ユーザのＩＤ情報が予め定義された閾値（例えば、ユーザがテキストメッセージの中のネットワークリンク情報を３回開いたことを意味する、３）よりも大きい場合、サーバ１０２は、該ユーザを、テキストメッセージの中のネットワークリンク情報を開かなかったユーザとして考えてもよい。一部の実施形態では、ユーザがネットワークリンクを開いた回数とユーザに送信されたテキストメッセージの総数との比が閾値よりも小さい場合、サーバ１０２はユーザをグレイリストに追加してもよい。
【００２８】
図３は、グレイリスト１１６を用いてメッセージを伝送するための例示的な流れ図３００を示す。３０２で、サーバ１０２は、複数のユーザＩＤと関連付けられた複数のクライアントのためのメッセージを生成してもよい。メッセージは、電子商取引のためのアイテムカテゴリと関連付けられた情報を含んでもよい。メッセージは、ＳＭＳを用いるテキストメッセージであってもよい。
【００２９】
３０４で、サーバ１０２は、図２で論じられた動作と類似の動作を用いて生成されたグレイリスト１１６に基づいてメッセージの受信者を判定してもよい。一部の実施形態では、サーバ１０２は、アイテムカテゴリに対応するグレイリスト１１６を判定し、複数のユーザＩＤからグレイリスト１１６のユーザＩＤを除外することによって受信者リストを生成してもよい。３０６で、サーバ１０２は、メッセージを受信者リストのユーザＩＤと関連付けられたクライアントに伝送してもよい。
【００３０】
一部の実施形態では、サーバ１０２は、製品情報又は勧告情報をクライアントに送信する。サーバ１０２は、最初にテキストメッセージテンプレートを用いてテキストメッセージのコンテンツを作成し、次いで、テキストメッセージが送信されるクライアントグループ又はクライアントのＩＤ情報を選択する。これらの場合、テキストメッセージが送信されるクライアントグループは、すべてのクライアント、又は定義された基準に基づいて選択されるクライアントとすることができる。例えば、テキストメッセージの中の異なるネットワークリンク情報に基づいて、サーバ１０２は異なるクライアントを選択してもよい。ネットワークリンク情報が雑貨情報からなる場合、対象となるクライアントは主に主婦であり、ネットワークリンク情報がレジャー及び娯楽情報からなる場合、対象となるクライアントは主に学生である。
【００３１】
一部の実施形態では、サーバ１０２は、異なるグレイリスト１１６からユーザを選択するために一部のテキストメッセージの中の異なるネットワークリンクカテゴリに重点を置いてもよい。例えば、一部のテキストメッセージは雑貨情報を含み、これらのテキストメッセージが送信されるユーザは、雑貨情報を使用する主婦だけとなり、したがって、選択中に、グレイリスト１１６の下のユーザを除外するべく主婦カテゴリの下のユーザグループに直接進むことができる。テキストメッセージの中のネットワークリンクカテゴリが娯楽情報を指す場合、サーバ１０２は、娯楽情報を使用するユーザグループにテキストメッセージを直接送信し、したがってグレイリスト１１６から学生ユーザの下のユーザだけを除外してもよい。
【００３２】
図４は、図１のアーキテクチャに配置され得る例示的なサーバ１０２を示す。サーバ１０２は、任意の適切なコンピューティングデバイスとして構成されてもよい。１つの例示的な構成では、サーバ１０２は、１つ以上のプロセッサ４０２、入力／出力インターフェース４０４、ネットワークインターフェース４０６、及びメモリ４０８を含む。
【００３３】
メモリ４０８は、ランダムアクセスメモリ（ＲＡＭ）などの揮発性メモリ、及び／又は読出し専用メモリ（ＲＯＭ）又はフラッシュＲＡＭなどの不揮発性メモリの形態のコンピュータ可読媒体を含んでもよい。メモリ４０８はコンピュータ可読媒体の一例である。
【００３４】
コンピュータ可読媒体は、コンピュータ可読命令、データ構造、プログラムモジュール、又は他のデータなどの情報を格納するための任意の方法又は技術で実装される揮発性及び不揮発性のリムーバブル及び非リムーバブルメディアを含む。コンピュータ記憶媒体の例は、コンピューティングデバイスによるアクセスのための情報を格納するのに用いることができる相変化メモリ（ＰＲＡＭ）、スタティックランダムアクセスメモリ（ＳＲＡＭ）、ダイナミックランダムアクセスメモリ（ＤＲＡＭ）、他のタイプのランダムアクセスメモリ（ＲＡＭ）、読出し専用メモリ（ＲＯＭ）、電気的に消去可能なプログラム可能読出し専用メモリ（ＥＥＰＲＯＭ）、フラッシュメモリ又は他のメモリ技術、コンパクトディスク読出し専用メモリ（ＣＤ−ＲＯＭ）、デジタルバーサタイルディスク（ＤＶＤ）又は他の光学ストレージ、磁気カセット、磁気テープ、磁気ディスクストレージ又は他の磁気ストレージデバイス、又は任意の他の非伝送媒体を含むがこれらに限定されない。本明細書で定義される場合のコンピュータ可読媒体は、変調されたデータ信号及び搬送波などの一時的媒体を含まない。
【００３５】
メモリ４０８をより詳細に言及すると、メモリ４０８は、伝送ユニット４１０、取得ユニット４１２、評価ユニット４１４、生成ユニット４１６、及び選択ユニット４１８を含んでもよい。
【００３６】
伝送ユニット４１０は、ネットワークリンク情報を含むテキストメッセージを一部のユーザに伝送してもよい。取得ユニット４１２は、前記テキストメッセージに対応するユーザのテキストメッセージ動作レコードを取得してもよく、各テキストメッセージ動作レコードは、対応するユーザがテキストメッセージの中のネットワークリンクを開いたか否かに関する情報と、ユーザに対応するＩＤ情報とを含む。評価ユニット４１４は、テキストメッセージ動作レコードに基づいて、前記テキストメッセージの中のネットワークリンク情報を開かなかったユーザのＩＤ情報を判定してもよい。
【００３７】
一部の実施形態では、評価ユニット４１４は、予め定義された期間内に一部のユーザのうちのネットワークリンク情報を開いたユーザのＩＤ情報を取得する第１の取得モジュールを含んでもよい。評価ユニット４１４は、また、ネットワークリンク情報を開かなかったユーザのＩＤ情報と一部のユーザの記録されたＩＤ情報とを取得し得る第２の取得モジュールを含んでもよい。
【００３８】
生成ユニット４１６は、グレイリスト１１６を生成し、及び／又はテキストメッセージの中のネットワークリンクを開かなかったユーザのＩＤ情報をグレイリスト１１６に追加することによってこれを更新する。
【００３９】
選択ユニット４１８は、グレイリスト１１６に基づいて、テキストメッセージの送信を待つユーザのＩＤ情報からグレイリスト１１６に属するユーザのＩＤ情報を除外し、したがって、テキストメッセージの送信を待つユーザのＩＤ情報を取得してもよく、前記グレイリスト１１６は、グレイリスト１１６を構築するための上記の方法を用いて構築される。選択ユニット４１８は、テキストメッセージの中のネットワークリンク情報に対応するユーザのＩＤ情報を取得する取得モジュールを含んでもよい。選択ユニット４１８は、ユーザのＩＤ情報に基づいてネットワークリンク情報に対応するグレイリスト１１６の中のユーザのＩＤ情報を除外する除外モジュールを含んでもよい。
【００４０】
本明細書の具体例は、本願の原理及び実施形態を例証するのに用いられる。上記の実施形態の説明は、本開示の方法及び考案の理解を助けることを目的としている。しかしながら、当業者は、本願の考案に基づいて具体的な実施形態及び本願の範囲に変更を加えることができる可能性があり、したがって、本明細書の内容は、本願に制限を設けるものとして解釈されるべきではない。
【図１】
2015511342.tif 000003
【図２】
2015511342.tif 000004
【図３】
2015511342.tif 000005
【図４】
2015511342.tif 000006
【国際調査報告】
2015511342.tif 000007
2015511342.tif 000008